(57)【特許請求の範囲】
【請求項１】
半割り状に形成された容器部の周縁の所定部位に被連繋部を設けたダミー容器本体と、前記被連繋部に係脱可能に連繋する連繋部を一縁に備え、折り部を挟んで前記一縁とは反対縁側に販売促進用表示を表示する表示部を設けた表示体とから構成した表示体付きダミー容器。
【請求項２】
被連繋部には、透孔あるいは切り込みを設ける一方、連繋部は、前記透孔あるいは切り込みに挿し込んで連繋するよう爪状に形成したことを特徴とする請求項１に記載の表示体付きダミー容器
【発明の詳細な説明】
【技術分野】
【０００１】
本発明は、自動販売機のディスプレイや店頭に配置する販売促進用の表示体付きダミー容器に係り、特に、容器部が半割り状に形成されたものに関する。
【背景技術】
【０００２】
従来の表示体付きダミー容器には、表示体を着脱可能に取り付けるように構成したものがある（例えば、特許文献１参照）。このダミー容器は、その頭部に水平状態で装着するようにしたアタッチメント前端部に設けた係止部に前記表示体の被係止部を係止して、前記表示体を吊り下げるというものである。そして、これら表示体、アタッチメント及びダミー容器は、分解状態で運ばれ、ダミー容器本体への表示体の添付は、自動販売機などに配置する直前に行われていた。
【特許文献１】特開２００６−０６５８４０
【発明の開示】
【発明が解決しようとする課題】
【０００３】
上記従来の表示体付きダミー容器は、前記添付作業を自動販売機のディスプレイなどに配置する直前に行うので、作業員にとっては前記添付作業が煩雑であるため、この作業が行われないことが多く、添付率の低さが問題となっている。また、この問題を解消するために、ダミー容器本体と表示体であるポップを一体化した構成が考えられるが、この構成では表示体がダミー容器の正面方向に突出した状態となるため、複数の表示体付きダミー容器となると、嵩張って保管や運搬に支障が生じるという不都合がある。
【０００４】
本発明は、上記問題及び不都合を解消することを課題とし、該課題を解決した表示体付きダミー容器を提供することを目的とする。
【課題を解決するための手段】
【０００５】
上記目的を達成するために、請求項１に係る本発明は、半割り状に形成された容器部の周縁の所定部位に被連繋部を設けたダミー容器本体と、前記被連繋部に係脱可能に連繋する連繋部を一縁に備え、折り部を挟んで前記一縁とは反対縁側に販売促進用表示を表示する表示部を設けた表示体とから構成したものである。
【０００６】
また、請求項２に係る本発明は、請求項１記載の被連繋部には、透孔あるいは切り込み設ける一方、連繋部は、前記透孔あるいは切り込みに挿し込んで連繋するよう爪状に形成したものである。
【発明の効果】
【０００７】
このように、請求項１に係る本発明によれば、ダミー容器本体の被連繋部にポップの連繋部を連繋した添付状態において、表示体をダミー容器本体背面の延長方向に伸ばし、複数を重ね合わせることができ、保管時や運搬時に嵩張らないうえ、作業員がディスプレイなどに配置する際に添付作業をする必要がないので、添付率の低下を防止でき、また、表示体は、係脱可能なので、最新の販売促進情報などを表示した表示部をもつ表示体に交換することができるという効果を奏する。
【０００８】
また、請求項２に係る本発明によれば、請求項１に係る発明の効果に加えて、透孔あるいは切り込みを設けた被連繋部に、連繋部を挿し込むことによってダミー容器本体へのポップの添付が可能であり、また、被連繋部と連繋部の係脱が容易であるという効果を奏する。
【発明を実施するための最良の形態】
【０００９】
次に、本発明をダミーボトルに適用した好適な第１実施形態を添付図面の図１〜図５に基づいて説明する。ここにおいて、図１は縦断側面図、図２はダミー容器本体たるダミーボトル本体の正面図、図３は表示体たるポップの正面図、図４はダミーボトル本体に取り付けたポップを伸展した状態を示す側面図、図５はダミーボトルを重ねた状態を示す横断面図である。
【００１０】
図１〜図３に示すように、ダミー容器たるダミーボトル１は、ダミーボトル本体２とポップ３とからなり、弾性を有するシート材で構成する。ダミーボトル２は、半割り円筒状に形成された容器部４の首部４ａと肩部４ｂとの周縁に連繋し、一対の透孔５，５を設けた被連繋部６を有する。ポップ３は、前記透孔５，５に挿し込んで係脱可能に連繋し得る一対の爪状の連繋部７，７を一縁に備え、折り部たる折り用ミシン目８を挟んで前記一縁とは反対縁側に販売促進用表示９ａを表示するための表示部９を設けている。前記ダミーボトル本体２とポップ３は、弾性を有するシート材で形成してあるので、それらに設けた被連繋部６と連繋部７は変形可能である。
【００１１】
図３に示すように、ポップ３の各連繋部７，７は、前記被連繋部６，６の各透孔５，５に挿し込まれた状態において各透孔５，５縁に連繋するよう形成した一対の係止顎７ａ，７ａを両側に備える。この各係止顎７ａ，７ａ先端間の長さは、透孔５，５に挿し込まれた各連繋部７，７が不用意に抜けないように、前記透孔５，５の各幅より若干長く形成してある。また、連繋部７は、透孔５に挿し込む際あるいは抜き取る際には、前記係止顎７ａ，７ａが透孔５を通過するように幅方向に撓めてその幅を縮小する。そして、この撓める作業を容易にするために、その先端縁から奥に向かってスリット７ｂを設けてある。なお、前記スリット７ｂの基端には、連繋部６が裂けるのを防ぐための小円孔７ｃが設けてある。
【００１２】
以上のように構成したダミーボトル１は、伸展状態にしたポップ３をダミー容器本体２背面の延長方向外側に伸ばした状態（図４参照。）で、複数を重ね合わせること（図５参照。）が可能である。そして、このダミーボトル１を自動販売機などに設置するときには、図４に示す伸展状態において、複数重ね合わせた状態で運搬し、配置作業の前に、折り用ミシン目８で表示部９を折り曲げて図１の状態となして自動販売機のディスプレイ（図示せず）などに配置するのである。
【００１３】
続いて、本発明をダミー缶に適用した好適な第２実施形態を添付図面の図６〜図９に基づいて説明する。ここにおいて、図６は部分縦断側面図、図７はダミー容器本体たるダミー缶本体の正面図、図８は表示体たるポップの正面図、図９は底面図である。
【００１４】
図６〜図９に示すように、ダミー容器たるダミー缶１１は、ダミー缶本体１２とポップ１３とからなる。ダミー缶本体１２は、半割り円筒状に形成された容器部１４下部の両側縁に突設し、それぞれ被連繋スリット１５，１５を設けた耳状の被連繋部１６，１６を有する。ポップ１３は、前記被連繋スリット１５，１５に挿し込んで係脱可能に連繋し得る可撓性を有する爪状の連繋部１７，１７を一縁に備え、折り部たる折り用ミシン目１８を挟んで前記一縁とは反対縁側に販売促進用表示１９ａを表示するための表示部１９を設け設けている。前記ダミー缶本体１２とポップ１３は、それぞれ弾性を有するシート材で形成してあるので、それらの被連繋部１６と連繋部１７は可撓性を有し変形可能である。
【００１５】
図８に示すように、ポップ１３は、前記一縁の前記連繋部１７，１７間に位置して半円状の切り欠き部２０を設ける。前記切り欠き部２０の周縁部には、所定間隔をおいて複数のＶ字状切り込み２０ａを設けてある。前記各連繋部１７は、前記被連繋スリット１５に挿し込まれた状態において被連繋スリット１５に係止する係止顎１７ａを外側に備える。各連繋部１７における各係止顎１７ａ部分の長さは、被連繋スリット１５に挿し込まれた連繋部１７が不用意に離脱しないように、前記被連繋スリット１３の幅より若干長く形成してある。また、連繋部１７は、被連繋スリット１５に挿し込む際あるいは抜き取る際には、前記係止顎１７ａが被連繋スリット１５を通過するように幅方向に撓めてその幅を縮小する。
【００１６】
以上のように構成したダミー缶１１は、伸展状態にしたポップ１３をダミー缶本体１２背面の延長方向外側に伸ばした状態（図６の鎖線で示したポップ１３を参照。）で、複数を重ね合わせること（図５参照。）が可能である。そして、自動販売機などに設置するときには、図６の鎖線で示す伸展状態において、複数重ね合わせた状態で運搬する。そして配置作業の前に、図６（実線で示したポップ１３を参照。）及び図９に示すように、折り用ミシン目１８で表示部１９を折り曲げるとともに、切り欠き部２０を容器部１４下縁の凹部１４ａに嵌合して自動販売機のディスプレイの載置台（図示せず）に載置して配置する。なお、切り欠き部２０を容器部１４下縁の凹部１４ａに嵌合する際、切り欠き部２０のＶ字状切り込み２０ａによって、切り欠き部２０の径が拡大するので、該嵌合作業が容易である。
【００１７】
なお、本発明は上記各実施形態になんら限定されるものではなく、例えば、一対の被連繋部を何れか一方の側縁に設け、これら被連繋部にポップの一対の連繋部を連繋するようにしてもよいほか、被連繋部６，１６の透孔５や被連繋スリット１５及び連繋部７，１７は各二つではなく各一つでもよい。図１０（第１実施形態の変形例におけるダミーボトル本体の正面図。）は、前記一つの被連繋部と連繋部を有する変形例におけるダミーボトル本体を示すもので、その被連繋部３０は、被連繋部上縁から透孔３１に達する切り欠き部３２を設けたものである。一方、ポップ（図示せず）の連繋部は、前記第１実施形態における連繋部７と同形となし、スリット７ｂ及び小孔７ｃを設けないものとする。これら被連繋部３０と連繋部の係脱は、連繋部の係止顎より基端側部分を前記切り欠き３２に挿通させて行う。
【図面の簡単な説明】
【００１８】
【図１】第１実施形態における縦断側面図。
【図２】第１実施形態におけるダミーボトル本体の正面図。
【図３】第１実施形態におけるポップの正面図。
【図４】第１実施形態におけるポップを伸展した状態を示す側面図。
【図５】第１実施形態における重ねた状態を示す横断面図。
【図６】第２実施形態における部分縦断側面図。
【図７】第２実施形態におけるダミー缶本体の正面図。
【図８】第２実施形態におけるポップの正面図。
【図９】第２実施形態における底面図。
【図１０】第１実施形態の変形例におけるダミーボトル本体の正面図。
【符号の説明】
【００１９】
１    ダミーボトル
２    ダミーボトル本体
３    ポップ
４    容器部
４ａ    首部
４ｂ    肩部
５    透孔
６    被連繋部
７    連繋部
８    折り用ミシン目
９    表示部
９ａ    販売促進用表示
１１ダミー缶
１２    ダミー缶本体
１３    ポップ
１４    容器部
１５    被連繋スリット
１６    被連繋部
１７    連繋部
１８    折り用ミシン目
１９    表示部
１９ａ    販売促進用表示
２０    切り欠き部
２０ａ    Ｖ字状切り込み
３０    被連繋部
３１    透孔
３２    切り込み
【図１】
0005123657.tif 000002
【図２】
0005123657.tif 000003
【図３】
0005123657.tif 000004
【図４】
0005123657.tif 000005
【図５】
0005123657.tif 000006
【図６】
0005123657.tif 000007
【図７】
0005123657.tif 000008
【図８】
0005123657.tif 000009
【図９】
0005123657.tif 000010
【図１０】
0005123657.tif 000011